(57)【要約】【課題】化粧をするときに容器本体を安定して保持する。【解決手段】化粧料容器１は、本体３の上面から下方に凹んで形成された化粧料収容部９と、本体３の下面から上方に凹んで形成されてユーザの手の一部を嵌めることが可能な溝部１０とを備える。溝部１０は、少なくとも一部が上下方向において化粧料収容部９と重複する位置に形成されていてもよい。化粧料収容部９は、その底部が球面状に形成され、溝部１０の上端の底部から本体３の下面までの上下方向の長さは、化粧料収容部９の中央下端の底部から本体３の下面までの上下方向の長さより長くてもよい。【選択図】図１
2017195935.tif 000002
【特許請求の範囲】
【請求項１】
容器本体の上面から前記容器本体に対して垂直な方向である垂直方向下方に凹んで形成された収容部と、
前記容器本体の下面から前記垂直方向上方に凹んで形成され、ユーザの手の一部を嵌めることが可能な溝部と、
を備えた化粧料容器。
【請求項２】
前記溝部は、少なくとも一部が前記垂直方向において前記収容部と重複する位置に形成されている、
請求項１に記載の化粧料容器。
【請求項３】
前記収容部は、中央下端の底部から開口縁に進むに連れて前記容器本体の上面までの前記垂直方向の長さが短くなるように形成され、
前記溝部の上端の底部から前記容器本体の下面までの前記垂直方向の長さは、前記収容部の前記中央下端の底部から前記容器本体の下面までの前記垂直方向の長さより長い、
請求項１又は２に記載の化粧料容器。
【発明の詳細な説明】
【技術分野】
【０００１】
本発明は、化粧料容器に関する。
【背景技術】
【０００２】
従来、使用時に片手で保持する化粧料容器が提案されてきた。
【０００３】
特許文献１には、化粧料を格納する化粧料収容凹部を備え、容器本体の下面が平面状に形成されたコンパクト（化粧料容器）が記載されている。特許文献１では、化粧料収容凹部は、底部が平面状に形成されており、壁部が当該収容凹部の底部に対して略垂直に形成されている。
【先行技術文献】
【特許文献】
【０００４】
【特許文献１】実開平０６−０１７６１２号公報
【発明の概要】
【発明が解決しようとする課題】
【０００５】
特許文献１に記載の技術では、容器本体を一方の手で支えつつ、パフを持った他方の手で化粧料収容凹部に収容された粉末状化粧料を拭き取ろうとすると、バランスが崩れ、容器本体の保持が不安定になる虞がある。
【０００６】
本発明は、上述のような事情に鑑みてなされたものであり、化粧をするときに容器本体を安定して保持することが可能な化粧料容器を提供することを目的とする。
【課題を解決するための手段】
【０００７】
上記目的を達成するため、本発明に係る化粧料容器は、容器本体の上面から前記容器本体に対して垂直な方向である垂直方向下方に凹んで形成された収容部と、前記容器本体の下面から前記垂直方向上方に凹んで形成され、ユーザの手の一部を嵌めることが可能な溝部と、を備える。
【発明の効果】
【０００８】
本発明によれば、溝部にユーザの手の一部が嵌まることにより、化粧をするときに容器本体を安定して保持することができる。
【図面の簡単な説明】
【０００９】
【図１】（Ａ）本発明の実施形態に係る化粧料容器の斜視図、（Ｂ）本体を前方から見たときの図、（Ｃ）本体の底面図、（Ｄ）本体のＩＤ−ＩＤ断面図である。
【図２】本発明の実施形態に係る化粧料容器の作用説明図である。
【図３】本発明の実施形態に係る化粧料容器の変更例の説明図である。
【発明を実施するための形態】
【００１０】
以下に、本発明を実施するための形態について図面を参照して詳細に説明する。なお、図中同一又は相当する部分には同じ符号を付す。また、本発明の構成に対する理解を容易にするため、図面のＸ方向を「前」、−Ｘ方向を「後」、Ｙ方向を「右」、−Ｙ方向を「左」、Ｚ方向を「上」、−Ｚ方向を「下」とそれぞれ記載して説明する。
【００１１】
図１（Ａ）に示すように、化粧料容器１は、上側の蓋部（上蓋）２と下側の本体（容器本体）３とを備える。蓋部２及び本体３は後端部に設けられたヒンジ部４によって接続されている。このため、蓋部２は、ヒンジ部４が設けられた左右方向に延びる後端部を回転中心として蓋部２前側が回転することにより、本体３に対して開閉可能となっている。
図１（Ａ）に示す開放状態において、蓋部２には、前面の上端中央部に係合部５、前面の中央部に鏡部６が設けられている。
本体３には、上面の前端中央部に係合部５と係合可能な被係合部７が設けられている。本実施形態では、図示しない閉塞状態において、ユーザによって蓋部２上方から力が加えられると係合が解除され、蓋部２が開放可能となっている。本体３には、パフ収容部（パフ用の収容部）８と化粧料収容部（化粧料用の収容部）９と溝部１０とが設けられている。
【００１２】
図１（Ｂ）に示すように、パフ収容部８は、本体３の右側において、上面から下方に凹んで形成され、図示しないパフを収容する。図１（Ｃ）に示すように、パフ収容部８の底部には、本体３を上下方向に貫通する通気孔１１が複数形成されており、収容されたパフが湿るのを低減することが可能となっている。
【００１３】
図１（Ｂ）及び図１（Ｄ）に示すように、化粧料収容部９は、本体３の左側において、上面から下方に凹んで形成されており、固形に固められた図示しないファンデーション（粉末状化粧料）を収容する。本実施形態の化粧料収容部９は、底部が球面状に形成されている。また、図１（Ｄ）に示すように、化粧料収容部９の底面には、中央部から上方に突出する突起部１２が複数形成されており、ファンデーションの固まりの剥離を低減することが可能となっている。
【００１４】
溝部１０は、本体３の下面から上方に凹んで当該下面の左端後部から右方に延びた形状で形成されており、ユーザ（使用者）の左手の指（例えば、人差し指や中指）を嵌めることが可能となっている。本実施形態の溝部１０は、その一部が、上下方向で、化粧料収容部９と重複する位置に形成されている。本実施形態では、図１（Ｄ）に示すように、前後方向の幅Ｗの範囲で化粧料収容部９と溝部１０とが重複している。
また、図１（Ｃ）に示すように、溝部１０前方には、ラベル１３が貼付されている。ラベル１３は、本体３の下面に貼り付けられており、例えば、化粧料の原材料、製造者、内容量等を表示することが可能となっている。
【００１５】
以上説明したように、本実施形態に係る化粧料容器１は、ユーザが左手で下面を支持したときに、左手中指が溝部１０に嵌まって引っ掛かることにより、溝部１０が設けられていない化粧料容器に比べ、ユーザが化粧をするときに安定して保持される。
【００１６】
ここで、図１（Ｄ）と同様の断面図を図２に示すが、理解を容易にするため、化粧料収容部９及び溝部１０以外の要素は、省略され又は単純化されている。
【００１７】
また、本実施形態に係る化粧料容器１は、溝部１０の一部が上下方向で化粧料収容部９と重複する位置に形成されており、前後方向の幅Ｗの範囲で化粧料収容部９と溝部１０とが重複している。この結果、本実施形態に係る化粧料容器１は、化粧料収容部と溝部とが上下方向で重複しない化粧料容器よりも前後方向の長さを短くして製作できる。具体的には、図２（Ａ）に示す化粧料容器１の前後方向の長さＬ１を、図２（Ｂ）に示す化粧料容器の前後方向の長さＬ２よりも短く製作できる（Ｌ１＜Ｌ２）。
【００１８】
特に、本実施形態に係る化粧料容器１は、図２（Ａ）に示すように、化粧料収容部９の底部が球面状に形成されており、底部中央から本体３の上面との開口縁に進むに連れて深さが浅くなるように形成されている。このため、溝部１０の深さＤ（溝部１０の上端の底部から本体３の下面までの上下方向の長さ）は、本体３の化粧料収容部９における厚さＴ（化粧料収容部９の中央下端の底部から本体３の下面までの上下方向の長さ）より大きくすることが可能となっている（Ｄ＞Ｔ）。この結果、本実施形態に係る化粧料容器１は、化粧料収容部の底部中央から本体上面との開口縁に進むに連れて深さが浅く形成されずに重複する位置に溝部が設けられた化粧料容器よりも、本体３を薄くしつつ溝部１０の深さＤを十分に確保できる。具体的には、図２（Ａ）に示す本体３の上下方向の厚さＨ１を、図２（Ｃ）に示す化粧料容器の本体の上下方向の厚さＨ２よりも薄く製作できる（Ｈ１＜Ｈ２）。
【００１９】
なお、本実施形態のように、前後方向の長さを短くするために、溝部１０が上下方向で化粧料収容部９と重複する位置（図２（Ａ）参照）に設けることが好ましいが、例えば、溝部１０が上下方向で化粧料収容部９と重複しない位置に設けてもよい（図２（Ｂ）参照）。また、本実施形態のように、本体３を薄くするために、化粧料収容部９の底部を球面状に形成することが好ましいが、例えば、溝部１０の深さが一定となる凹型に形成してもよい（図２（Ｂ）及び図２（Ｃ）参照）。なお、本実施形態では、溝部１０の前後方向の一部が化粧料収容部９と重複する位置に設けられているが、図２（Ｄ）に示すように、溝部１０の前後方向の全部が化粧料収容部９と重複してもよい。
【００２０】
また、本実施形態のパフ収容部８、化粧料収容部９及び溝部１０の形状や位置関係は、本発明の作用効果を奏する限りにおいて任意に変更可能である。例えば、図３（Ａ）に示すように、化粧料収容部１０９を収容空間が四角錐状となるように形成したり、図３（Ｂ）に示すように、化粧料収容部２０９を収容空間が四角錐を水平方向にカットした形状となるように形成したりしてもよい。また、例えば、図３（Ｃ）に示すように、溝部３１０を化粧料収容部９の底部の曲面に沿って曲がる略Ｃ字状に形成してもよい。さらに、図３（Ｄ）に示すように、パフ収容部４０８の底部を球面状に形成してもよく、溝部４１０を本体３の下面から上方に凹んで当該下面の右端後部から左方に延びた形状で形成して、ユーザの右手の指が溝部４１０に嵌まるようにしてもよい。
【００２１】
また、本実施形態の溝部１０の構造は、ユーザの手の一部を嵌めることが可能な限りにおいて任意に変更可能である。例えば、複数の指（人差し指、中指、薬指、小指）が嵌まるように本体３の下面に複数の溝部を形成したり、親指が嵌まるように本体３の上面にも溝部を形成したりしてもよい。また、手のひらの一部が嵌まるように溝部１０を略Ｌ字状に形成したりしてもよい。さらに、左手にも右手にも嵌まるように、左右対称の溝部を左右両側に形成したり、左端から右端に貫通する溝部を形成したりしてもよい。
【符号の説明】
【００２２】
１  化粧料容器、２  蓋部（上蓋）、３  本体、４  ヒンジ部、５  係合部、６  鏡部、７  被係合部、８、４０８  パフ収容部、９、１０９、２０９  化粧料収容部、１０、３１０、４１０  溝部、１１  通気孔、１２  突起部、１３  ラベル。
【図１】
2017195935.tif 000003
【図２】
2017195935.tif 000004
【図３】
2017195935.tif 000005